(57)【特許請求の範囲】
【請求項１】
調理物を加熱する誘導加熱可能な調理容器を載置するトッププレートと、前記調理容器を加熱するために誘導磁界を発生させる加熱コイルと、前記加熱コイルの高周波電流を制御して前記調理容器の加熱量を制御する制御手段と、前記トッププレートを介して前記調理容器の底面から放射された赤外線を検知して前記制御手段に温度情報を出力する赤外線センサと、前記制御手段に前記赤外線センサの検知温度が第１の制御温度となるように火力を調節して前記調理容器の温度が設定温度とする制御を行う温度調節機能と、前記温度調節機能の温度設定値を表示する表示手段と、使用者により操作される複数の操作部を有し
機器の状態や設定を変更する入力手段と、前記制御手段に前記表示手段が表示する温度設定値は変更せずに前記温度調節機能の制御温度を前記第１の制御温度から第２の制御温度へ変更する設定調整機能と、を備え、
前記調理容器の底面温度が所定の温度設定値毎に定められた前記第１の制御温度である調理中に、前記調理容器の材質及び前記調理容器の底面の板厚の違いにより前記調理容器内部の調理物の温度が前記表示手段によって表示されている設定値よりも高くあるいは低くなる場合には、前記入力手段により前記設定調整機能が動作する操作がされると、前記制御手段は、前記表示手段の表示は前記第１の制御温度で調節される温度設定値である前記設定温度のまま、前記温度調節機能において前記調理容器の底面の温度が前記第１の制御温度よりも、前記入力手段により低い設定値が設定され低い、あるいは前記入力手段により高い設定値が設定され高い前記第２の制御温度になるように火力を調節する制御を行う誘導加熱調理器。
【請求項２】
前記表示手段は前記設定調整機能の動作／非動作を表示する調整確認手段を備え、前記設定調整機能が働いている場合には前記調整確認手段による報知を行う請求項１に記載の誘導加熱調理器。
【請求項３】
前記表示手段は、前記設定調整機能によって前記温度調節機能の制御温度が調整されている度合いを表示する調整レベル表示手段を備えた請求項１または２に記載の誘導加熱調理器。
【請求項４】
前記設定調整機能を動作させる前記入力手段は、前記温度調節機能を動作させる操作部と同じ操作部を使用し、通常の操作とは異なる操作によって前記設定調整機能の設定を可能とする請求項１から３のいずれか１項に記載の誘導加熱調理器。
【請求項５】
前記設定調整機能の設定は、前記温度調節機能が動作する前に設定内容や設定解除を可能とする請求項１から４のいずれか１項に記載の誘導加熱調理器。
【請求項６】
前記温度調節機能は前記調理容器が前記第１の制御温度、或いは前記第２の制御温度に達したことを報知する報知手段を備え、前記報知手段が報知した後で前記設定調整機能の設定を前記入力手段によって変更可能とする請求項１から５のいずれか１項に記載の誘導加熱調理器。
【請求項７】
前記温度調節機能は複数の温度設定値を有し、前記温度設定値毎に前記設定調整機能を異なる設定とする事が可能な請求項１から６のいずれか１項に記載の誘導加熱調理器。
【請求項８】
前記設定調整機能は不揮発性メモリを備え、前記設定調整機能の設定内容は電源遮断時にも保持される請求項１から７のいずれか１項に記載の誘導加熱調理器。
【発明の詳細な説明】
【技術分野】
【０００１】
本発明は、調理容器を誘導加熱する誘導加熱調理器に関する。特に、本発明は、赤外線による放射温度検出手段（または赤外線センサ）を用いて、プレートを介して調理容器の底面温度を検知し、加熱量を制御する機能を有する誘導加熱調理器に関するものである。
【背景技術】
【０００２】
従来、この種の放射温度検出手段（以下、赤外線センサと記載する）を備えた誘導加熱調理器は、トッププレートを介して調理容器の底面に向けて光を放射して、発光手段の光が調理容器の底面に反射した光を検出する受光手段の出力により、調理容器の反射率を検出している。
【０００３】
この反射率から放射率を演算し、赤外線センサの出力を補正することで、調理容器の放射温度を補正している（例えば、特許文献１参照）．
図５は，特許文献１に記載された従来の赤外線センサを備えた誘導加熱調理器の構成を示すものである。
【０００４】
図５に示すように従来の誘導加熱調理器は、調理容器１を載置するトッププレート２と、調理容器１を加熱するために誘導磁界を発生させる加熱コイル３と、加熱コイル３へ高周波電流を供給するインバータ４ａを備えた制御手段４と、トッププレート２に備えてある赤外線透過部５を介して調理容器１の温度を検出する赤外線センサ６と、前記赤外線透過部５を介して調理容器１の底面へ光を放射する発光手段７と、前記発光手段７の光が調理容器１の底面に反射した光を検出する受光手段８と、前記受光手段８の出力により調理容器１の反射率を計測し放射率を演算する放射率演算手段９を備えている。
【０００５】
以上の構成において、前記赤外線センサ６は、測定物である調理容器１の底面から放射される赤外線を検出して調理容器１の温度を測定している。制御手段４は、前記赤外線センサ６の温度情報に従って、インバータ４ａが加熱コイル３へ供給する高周波電流の大きさを調整している。
【０００６】
しかしながら、調理容器１の放射率が異なると、同一温度でも放射される赤外線量が異なるため、赤外線センサ６の検知温度と調理容器１の温度とで差が発生する。
【０００７】
従来の構成では、放射率の差による温度差を少なくするために、発光手段７の光が調理容器１に反射した光を検出する受光手段８と、前記受光手段８の出力から反射率を計測し、前記反射率から放射率を放射率演算手段９によって演算して求め、放射率が低い場合には赤外線センサの出力を増幅して検知温度が高めになる様に補正していた。
【先行技術文献】
【特許文献】
【０００８】
【特許文献１】特開２００２−７５６２４号公報
【発明の概要】
【発明が解決しようとする課題】
【０００９】
しかしながら、前記従来の構成では、調理容器１の底表面の放射率を補正した温度調節は可能であるが、材質・形状によって底表面の温度と調理物の温度に差が発生した場合には、補正を施す手段が無く、結果、調理容器１内部の調理物の温度と設定温度とで温度差が発生し、設定温度と異なる調理容器１の温度に制御された状態で調理を行うため、使い
勝手が悪く調理性能が劣化するという課題を有していた。
【００１０】
本発明は、前記従来の課題を解決するもので、設定温度と調理物との温度差が発生する調理容器を用いる場合は、入力手段によって設定調整機能を起動して、前記設定温度毎に定められた第１の制御温度を第２の制御温度へ変更する事を可能として、前記設定温度と調理容器１内部の調理物との温度差を減じる事ができる誘導加熱調理器を提供することを目的とする。
【課題を解決するための手段】
【００１１】
前記従来の課題を解決するために、本発明の誘導加熱調理器は、調理物を加熱する誘導加熱可能な調理容器を載置するトッププレートと、前記調理容器を加熱するために誘導磁界を発生させる加熱コイルと、前記加熱コイルの高周波電流を制御して前記調理容器の加熱量を制御する制御手段と、前記トッププレートを介して前記調理容器の底面から放射された赤外線を検知して前記制御手段に温度情報を出力する赤外線センサと、前記制御手段に前記赤外線センサの検知温度が第１の制御温度となるように火力を調節して前記調理容器の温度が設定温度となる制御を行う温度調節機能と、前記温度調節機能の温度設定値を表示する表示手段と、使用者により操作される複数の操作部を有し機器の状態や設定を変更する入力手段と、前記制御手段に前記表示手段が表示する温度設定値は変更せずに前記温度調節機能の制御温度を前記第１の制御温度から第２の制御温度へ変更する設定調整機能と、を備え、前記調理容器の底面温度が所定の温度設定値毎に定められた前記第１の制御温度である調理中に、前記調理容器の材質及び前記調理容器の底面の板厚の違いにより前記調理容器内部の調理物の温度が前記表示手段によって表示されている設定値よりも高くあるいは低くなる場合には、前記入力手段により前記設定調整機能が動作する操作がされると、前記制御手段は、前記表示手段の表示は前記第１の制御温度で調節される温度設定値である前記設定温度のまま、前記温度調節機能において前記調理容器の底面の温度が前記第１の制御温度よりも、前記入力手段により低い設定値が設定され低い、あるいは前記入力手段により高い設定値が設定され高い前記第２の制御温度になるように火力を調節する制御を行うとしたものである。
【００１２】
これによって、異なる材質で構成された複数の調理容器を使用した場合に、調理容器の底面が同じ放射率で同じ温度であっても材質及び調理容器の底面の板厚の違いの差によって調理物の温度が異なる場合において、設定調整機能を動作させることにより制御目標となる設定温度の変更が可能となるため、各々の調理容器に対応した温度補正機能を設定す
る事により、何れの調理容器でも設定温度と調理物の温度とが略同等となるため、使い勝手が良く、調理性能を向上する事ができる。
【００１３】
つまり、赤外線センサによって、調理容器の底面温度を検出して加熱量の制御を行う場合、底面の放射率や温度が同じ調理容器を使用しても、調理容器の材質、調理容器の底面の厚さなどが異なる事によって、調理容器内部にある調理物の温度に差が生じる。
【００１４】
図６（ａ）は、調理容器の材質が異なった場合の調理物温度の変化を示すグラフであり、調理物を油として同じ第１の制御温度で温度調節した場合、横軸が放射率、縦軸が調理物の温度として調理容器の放射率が同レベルであっても材質が異なると調理物の温度が異なる状態を示し、（ｂ）は調理容器の板厚が異なった場合の調理物温度の変化を示すグラフであり、横軸が板厚、縦軸を調理物の温度として、同じ材質、かつ同じ放射率であっても板厚が異なると調理物の温度が異なる状態を示している。
【００１５】
図６（ａ）に示すように同じ放射率であっても、ステンレス材質の調理容器を用いるとＣ点の油温、アルミと発熱体を貼り合わせたクラッド材質の調理容器を用いるとＢ点の油温、鉄材質の調理容器を用いるとＡ点の油温となり、鉄材質の調理容器を用いた場合に比べてステンレス材質では△Ｔ１（℃）、クラッド材質では△Ｔ２（℃）ほど油の温度が高くなる傾向にある。
【００１６】
また、図６（ｂ）に示す様に同じステンレス材質の調理容器を用いた場合でも、板厚が１．０（ｍｍ）から０．５（ｍｍ）へと減少すると油温はＥ点からＤ点へと△Ｔ３（℃）
高くなり、板厚が１．０（ｍｍ）から２．０（ｍｍ）と増加すると油温はＥ点からＦ点へと△Ｔ４（℃）低下しており、板厚といった形状の差によっても調理物の温度が大きく変化してしまう。
【００１７】
よって、鍋の材質や形状に応じて温度調節機能の設定温度を第１の制御温度から第２の制御温度へ設定調整機能によって調整することにより、異なる調理容器を使用した場合でも調理物の温度は設定温度に保つことが可能となる。
【発明の効果】
【００１８】
本発明の誘導加熱調理器は、赤外線センサの出力によって調理容器の温度を検知して温度調節機能を行う調理器において、設定調整機能を備えることで、異なる材質で構成された複数の調理容器を使用した場合に、調理容器の底面が同じ放射率であっても材質及び調理容器の底面の板厚の違いの差によって調理容器底面の温度と調理物の温度が異なる場合において、調理容器に応じて温度調節の設定値と、調理容器内部の調理物との温度差を補正する事を可能とし、使い勝手を良くして、調理性能を向上することができる。
【図面の簡単な説明】
【００１９】
【図１】本発明の実施の形態１における誘導加熱調理器の構成図
【図２】（ａ）本発明の実施の形態１における誘導加熱調理器の入力手段に備えたキー配置図および表示手段の全点灯表示の状態図（ｂ）本発明の実施の形態１における誘導加熱調理器の揚げ物オンオフキーをオンした場合の表示手段の状態図（ｃ）本発明の実施の形態１における誘導加熱調理器の加熱オンオフキーをオンした場合の表示手段の状態図
【図３】（ａ）〜（ｇ）本発明の実施の形態１における誘導加熱調理器の設定調整機能を設定中、及び設定後の表示手段の状態図
【図４】本発明の実施の形態４における誘導加熱調理器の入力手段のキー配置図
【図５】従来の誘導加熱調理器の回路ブロック図
【図６】（ａ）調理容器の材質が異なった場合の調理物温度の変化を示すグラフ（ｂ）調理容器の板厚が異なった場合の調理物温度の変化を示すグラフ
【発明を実施するための形態】
【００２０】
第１の発明は、調理物を加熱する誘導加熱可能な調理容器を載置するトッププレートと、前記調理容器を加熱するために誘導磁界を発生させる加熱コイルと、前記加熱コイルの高周波電流を制御して前記調理容器の加熱量を制御する制御手段と、前記トッププレートを介して前記調理容器の底面から放射された赤外線を検知して前記制御手段に温度情報を出力する赤外線センサと、前記制御手段に前記赤外線センサの検知温度が第１の制御温度となるように火力を調節して前記調理容器の温度が設定温度とする制御を行う温度調節機能と、前記温度調節機能の温度設定値を表示する表示手段と、使用者により操作される複数の操作部を有し機器の状態や設定を変更する入力手段と、前記制御手段に前記表示手段が表示する温度設定値は変更せずに前記温度調節機能の制御温度を前記第１の制御温度から第２の制御温度へ変更する設定調整機能と、を備え、前記調理容器の底面温度が所定の温度設定値毎に定められた第１の制御温度である調理中に、前記調理容器の材質及び前記調理容器の底面の板厚の違いにより前記調理容器内部の調理物の温度が表示手段によって表示されている設定値よりも高くあるいは低くなる場合には、前記入力手段により前記設定調整機能が動作する操作がされると、前記制御手段は、前記表示手段の表示は第１の制御温度で調節される温度設定値である前記設定温度のまま、前記温度調節機能において前記調理容器の底面の温度が前記第１の制御温度よりも、前記入力手段により低い設定値が設定され低い、あるいは前記入力手段により高い設定値が設定され高い第２の制御温度になるように火力を調節する制御を行うとしたものである。
【００２１】
これによって、調理容器の材質及び調理容器の底面の板厚の違いの差や形状によって発生する調理物と調理容器の底面との温度差を調整して、設定温度での使い易い調理環境を実現する事ができる。
【００２２】
第２の発明は、特に、第１の発明の前記表示手段は前記設定調整機能の動作／非動作を表示する調整確認手段を備え、前記設定調整機能が働いている場合には前記調整確認手段による報知を行うとすることにより、制御温度を調整しているか機能の動作／非動作を表示し使用者へ報知する事が可能となり、調理容器によって調整機能の要否を判断して動作／非動作を使い分ける事が出来るため、設定温度での使い勝手の良い調理を可能とする。
【００２３】
第３の発明は、特に、第１または第２の発明の前記表示手段は前記設定調整機能によって前記温度調節機能の制御温度が調整されて度合いを表示する調整レベル表示手段を備えたことにより、設定調整機能によって調整されている調整値の大きさ（以降、調整レベルと称す）を、表示手段を用いて表現する事が可能となり、調理容器の材質や形状によって適当な調整レベルを選択して使用する事を可能として、複数の調理容器毎に調整値を設定した使い勝手の良い調理を実現することができる。
【００２４】
第４の発明は、特に、第１から３のいずれか１つの発明の前記設定調整機能を動作させる前記入力手段は、前記温度調節機能を動作させる操作部と同じ操作部を使用し、通常の操作とは異なる操作によって、前記設定調整機能の設定を可能とするもので、これによって、普段は使用しない操作部を削減する事が可能となり、煩雑さを抑制した使い勝手の良い操作を可能とすることができる。
【００２５】
第５の発明は、特に、第１から４のいずれか１つの発明の前記設定調整機能の設定は、前記温度調節機能が動作する前に設定内容や設定解除を可能とする事により、調理容器毎に予め温度を調整して調理開始する事を可能として、調理容器の材質や形状によって発生する調理物と調理容器との温度差を減じ、設定温度での使い易い調理環境を実現する事ができる。
【００２６】
第６の発明は、特に、第１から５のいずれか１つの発明の前記温度調節機能は前記調理容器が前記第１の制御温度、或いは前記第２の制御温度に達したことを報知する報知手段を備え、前記報知手段が報知した後で前記設定調整機能の設定を前記入力手段によって変更可能とするものである。これによって、調理開始前に設定した温度に達すると報知し、前記報知手段によって報知した後で設定調整機能の設定内容の変更を可能とする事により、調理容器の汚れなど経時変化に伴い調理物の温度が変化した場合においても更なる調整が可能となり、柔軟に設定温度への調整を可能とすることで使い勝手の良い調理を可能とすることができる。
【００２７】
第７の発明は、特に、第１から６のいずれか１つの発明の前記温度調節機能は複数の温度設定値を有し、前記温度設定値毎に前記設定調整機能を異なる設定とする事を可能としたものである。これによって、調理メニューに応じて設定温度と調理容器を変更した場合においても、調理容器の材質や形状の変化に合わせて調整した制御温度で調理が実行可能となるため、設定温度に準じた温度調節を行い使い勝手の良い調理を可能とする。
【００２８】
第８の発明は、特に、第１から７のいずれか１つの発明の前記設定調整機能は不揮発性メモリを備え、前記設定調整機能の設定内容は電源遮断時にも保持されるものである。
【００２９】
これによって調整した第２の制御温度をメモリに保存する事や、設定調整機能の設定内容や設定解除している状態をメモリに保存する事で、停電時などの電源遮断した後の復帰時にも連続して同じ調理を可能として、都度設定する煩雑さを軽減した使い勝手の良い操作を可能とする。
【００３０】
以下、本発明の実施の形態について、図面を参照しながら説明する。なお、この実施の形態によって本発明が限定されるものではない。
【００３１】
（実施の形態１）
図１に本発明の第１の実施の形態における誘導加熱調理器の構成図を示す。図１において本実施形態の誘導加熱調理器は、調理容器１を載置するトッププレート２と、調理容器１を加熱するために誘導磁界を発生させる加熱コイル３と、加熱コイル３へ高周波電流を
供給するインバータ４ａを備えた制御手段４と、トッププレート２に備えてある赤外線透過部５を介して調理容器１の温度を検出する赤外線センサ６と、を備えている。
【００３２】
また、制御手段４は、加熱コイル３へ供給する高周波電流の供給量を使用者が操作して設定する入力手段４ｂと、使用者が前記入力手段４ｂを用いて設定した機器の状態を表示する表示手段４ｃと、赤外線センサ６からの温度情報をもとに調理容器１が第１の設定温度となる様に火力を調節する温度調節機能４ｄと、第１の設定温度では調理容器１内部にある調理物の温度と設定温度とで温度差が生じてしまう場合には、第１の設定温度とは異なる低い第２の設定温度へ変更することができる設定調整機能４ｅと、設定調整機能４ｅで設定された第２の設定温度を記憶する不揮発性メモリ４ｆとを備えている。
【００３３】
よって、入力手段４ｂは、調理容器１の底面温度を第１の設定温度となる様に火力を調節する温度調節機能４ｄの操作が可能であり、また、温度調節機能４ｄを動作させる場合において、第１の設定温度とは異なる第２の設定温度へ調節温度を変更する設定調整機能４ｅの操作も可能となっている。
【００３４】
図２（ａ）は、本発明の第１の実施の形態における誘導加熱調理器の入力手段に備えたキー配置図および表示手段の全点灯表示の状態図であり、入力手段４ｂに備えた操作キー、及び表示手段４ｃが全点等した場合の表示内容を示している。
【００３５】
入力手段４ｂは、所定の火力で加熱をオンオフする加熱オンオフキー１１、調理容器１内部の調理物が所定の設定温度となる様に加熱量を制御する揚げ物オンオフキー１２、火力や設定温度を下げるダウンキー１３、火力や設定温度を上げるアップキー１４、加熱をオンした後に所定時間が経過すると加熱をオフするタイマー機能の時間を設定するタイマー設定キー１５およびタイマー機能の設定解除を可能とする取消キー１６、揚げ物をオンした後に設定温度を第１の設定温度から第２の設定温度へと調整する設定調整機能の温度設定を開始する設定調整キー１７および設定調整機能を設定した場合に調整レベルを確認する調整レベル確認キー１８を備えている。
【００３６】
表示手段４ｃは、揚げ物オンオフキー１２をオンした時に設定温度を点灯表示する３桁表示２１と、設定温度に達するまでの準備状態である事を報知する予熱中表示２２と、設定調整キー１７を操作して揚げ物の設定温度を調整している状態、或いは調整して制御温度を変更した事を報知する調整機能表示２３と、設定調整キー１７を操作した場合に調整した温度レベルを表示する２桁表示２４と、加熱オンオフキー１１をオンした時に火力レベルを表示するレベル表示２５と、タイマー機能が設定されている場合には３桁表示２１に加熱がオフするまでの残り時間を表示している事を示す残り表示２６を備えている。
【００３７】
また、前記ダウンキー１３とアップキー１４は、タイマー設定キー１５をオンしてタイマー機能の時間を設定する場合には、ダウンキー１３で時間の減少、アップキー１４で時間を増加する事を可能とし、設定調整キー１７を操作して揚げ物の設定温度を調整している状態では、ダウンキー１３では設定温度を下げて、アップキー１４では設定温度を上げる事を可能とし、予め複数の設定温度が記憶されている場合には設定温度を順次呼び出す操作を可能としている。
【００３８】
また、取消キー１６はタイマー機能の設定解除だけでなく、設定調整キー１７を操作して揚げ物の設定温度を調整している状態では、調整した制御温度の設定を解除して、制御温度を初期値へ戻す事を可能としている。
【００３９】
以上の様に構成された誘導加熱調理器について、以下その動作、作用を説明する。
【００４０】
まず、調理容器１の中に油などの調理物を入れてトッププレート２の上に載置して、入力手段４ｂ内に配置されている揚げ物オンオフキー１２を操作すると、調理容器１が予め設定された制御温度（以下、第１の制御温度と称す）となるように、トッププレート２に備えた赤外線透過部５を介して調理容器１の底面温度を赤外線センサ６にて検出し、火力の強弱やオンオフといった制御をインバータ４ａから加熱コイル３への高周波電流の供給量を加減して行う。
【００４１】
図２（ｂ）は、本発明の第１の実施の形態における誘導加熱調理器の揚げ物オンオフキーをオンした場合の表示手段の状態図であり、揚げ物オンオフキー１２をオンした時の表示手段４ｃの表示状態を示している。
【００４２】
揚げ物オンオフキー１２をオンすると揚げ物モードへ移行し、調理容器内部の調理物（油）が１８０（℃）となる様に赤外線センサ６で温度検知しながら制御手段４は火力を調節し、表示手段４ｃには、第１の制御温度である１８０を表示すると同時に、調理容器内部の調理物（油）の温度（以下、油温と称す）が第１の制御温度に達する前の加熱状態であることを示す予熱中表示２２が点灯している。
【００４３】
赤外線センサ６の温度情報によって、油温が第１の制御温度に到達したと温度調節機能４ｄが判断した場合に、予熱中表示２２は消灯し、使用者へ揚げ物調理の準備が終了したことを報知する。
【００４４】
図２（ｃ）は、本発明の第１の実施の形態における誘導加熱調理器の加熱オンオフキーをオンした場合の表示手段の状態図であり、加熱オンオフキー１１をオンした時の表示手段４ｃの表示状態を示している。
【００４５】
実施の形態１において、加熱オンオフキー１１をオンすると加熱モードへ移行し、最大火力の「強」設定で加熱を開始し、レベル表示２５を構成する５つの表示素子が全て点灯する。
【００４６】
使用者が火力を弱くする場合には、ダウンキー１３を操作する毎に、レベル表示２５が右端から１つずつ消灯し、火力が１段階ずつ小さくなる。逆に、使用者が火力を弱くした後で強くする場合には、アップキー１４を操作する毎に、レベル表示２５が右へ順に追加して点灯し、火力も１段階ずつ大きくなる。
【００４７】
しかしながら、揚げ物オンオフキー１２を操作して揚げ物調理を開始し、赤外線センサ６にて温度検知を行い温度調節機能４ｄで火力を調節する場合、調理容器１の表面の放射率が異なると赤外線センサ６による検知温度にずれが生じるため、放射率を検知して第１の制御温度を調整する方式が先行技術文献で考案されている。
【００４８】
しかし実際は、図６（ａ）に示す様に同じ放射率であっても、鉄材質の調理容器１ａではＡ点、アルミと発熱体を張り合わせたクラッド材質の調理容器１ｂではＢ点、ステンレス材質（板厚１．０（ｍｍ））の調理容器１ｃではＣ点となり、調理容器の材質によって油温は大きく変化する。
【００４９】
また、図６（ｂ）に示す様に、同じステンレス材質であっても板厚が０．５ｍｍ、１．０ｍｍ、２．０ｍｍと変化するにつれて、油温はＤ点、Ｅ点、Ｆ点と板厚が増すごとに温度は低下しており、板厚といった形状の差によって油温が大きく変化する。
【００５０】
その結果、揚げ物調理においては、油の温度が高すぎると表面が焦げて中身が生煮えとなり、油の温度が低すぎると調理時間が長くなり食材が油を吸い込みカラッと揚がらず、
コロッケなどは型崩れしてしまうなど課題が発生していた。
【００５１】
課題の発生を防止するために、温度が高くなる例えば、ステンレス材質で底面の板厚が０．５ｍｍの調理容器１ｄを用いて調理を行う場合は、設定調整キー１７を操作して設定調整機能４ｅを起動し、ダウンキー１３を操作して第１の制御温度よりも低い第２の制御温度で温度調節を行うべく、低い調整値を設定した設定調整機能４ｅでの温度調節機能４ｄを動作させる。
【００５２】
この場合、底面の板厚が薄い熱伝導の悪いステンレス材質の調理容器１ｃを用いた場合でも、鉄材質で底面が構成された調理容器１ａを用いた場合と同じ油温となり、課題のない揚げ物調理を行う事ができる。
【００５３】
実施の形態１において、鉄材質で板厚１．０（ｍｍ）の調理容器１ａとした第１の制御温度が設定されている場合、ステンレス材質で板厚０．５（ｍｍ）の調理容器１ｄを使用した場合の温度差は図６（ａ）と（ｂ）に示す△Ｔ１＋△Ｔ３（℃）に相当し、その温度差は約２０（℃）となる。
【００５４】
調理容器１ｄを使用した場合でも、調理容器１ａと使用した場合と同じ油温とするためには、設定調整機能４ｅによる調整値として２０（℃）ダウンさせる必要がある。
【００５５】
図３（ａ）〜（ｇ）は、本発明の第１の実施の形態における誘導加熱調理器の設定調整機能を設定中および設定後の表示手段の状態図であり、この場合の表示は、図３（ａ）のように３桁表示２１に１８０、２桁表示２４に−２０を表示する。
【００５６】
（実施の形態２）
実施の形態１では設定調整機能４ｅが機能している状態を、２桁表示２４を用いて表示しているが、揚げ物調理に使用する調理容器は汚れの付着も著しいため、数種類の専用調理容器に限定される場合が多い。
【００５７】
そこで、実施の形態２は、常に設定調整機能４ｅの調整値を、２桁表示２４を用いて表示せずに、設定調整機能４ｅが動作しているか否かを識別するための調整機能表示２３（調整確認手段）を備えている。
【００５８】
図３（ｂ）は、揚げ物モードに移行し、設定調整機能４ｅが動作していることを調整機能表示２３が点灯して報知している状態を示している。図３（ｂ）の表示内容では、設定調整機能４ｅが設定された調整値が不明ではあるが、使用者が揚げ物に使用している調理容器が、設定調整機能４ｅが非動作でも油温にずれが生じない鉄材質の調理容器１ａ、及び何らかの設定調整機能４ｅの設定が必要な調理容器の２種類に限定される場合、設定調整機能４ｅの動作／非動作が識別を可能とすると、２種類の調理容器に対応した揚げ物調理で設定した温度での調理を実現することが可能となる。
【００５９】
また、設定調整機能４ｅで設定された調整値を確認したい場合は、調整レベル確認キー１８を操作すると、図３（ｃ）に示す様に、通常は温度調節機能４ｄが制御している第１の制御温度を示す３桁表示２１にて、一時的に調整値を表示する状態に切り替わり使用者へ報知する事が可能である。
【００６０】
よって、前記調整機能表示２３にて報知する仕様とすることで、２桁表示２４を省略して表示の煩雑さを簡素化する事を可能とする。なお、調理レベル確認キー１８を使用せずに、例えばダウンキー１３とアップキー１４の同時押しを３秒間継続した場合に、調理レベル確認キー１８を操作したと見なす仕様とすれば、調理レベル確認キー１８も簡素化す
る事が可能となる。
【００６１】
（実施の形態３）
実施の形態１では、設定調整機能４ｅが機能している調整値を表示する目的で２桁表示２４を使用しているが、実際に調理性能を確保するために１℃刻みでの調整が必要ではなく、１０℃刻みで油温のずれを調整する場合が多い。
【００６２】
そこで、実施の形態３では、１０℃刻みの調整を行う場合、２桁表示を用いて表示する事も可能であるが、加熱モードで火力を表示するレベル表示２５を用いて、設定調整機能４ｅで設定された調整値を表示している。
【００６３】
図３（ｄ）は、揚げ物モードに移行した場合に、設定調整機能４ｅの調整値を−２０℃に設定した直後の表示手段４ｃの表示内容を示している。実施の形態２で記載した調整機能表示２３を表示して、レベル表示２５が火力表示とは異なる調整値を表示している事を報知する。
【００６４】
また、設定調整機能４ｅの設定値をダウンキー１３、及びアップキー１４を操作して設定する場合は、レベル表示２５を構成するレベル１表示２５ａを点灯して−２０℃の調整値を示すと同時に、３桁表示２１にも−２０℃の調整値であることを−２０の表示によって表現している。
【００６５】
図３（ｅ）は設定調整機能４ｅの調整値を−２０℃に設定が終了した後の表示手段４ｃの表示内容を示している。この時、温度調節機能４ｄは１８０℃に温度制御しており、設定調整機能４ｅが動作していることを調整機能表示２３が報知し、レベル表示２５を構成するレベル１表示２５ａが点灯して−２０℃の設定で設定調整機能４ｅが動作しているため、温度調節機能４ｄが−２０℃低めに温度制御していることを表現している。
【００６６】
なお、レベル２表示２５ｂの点灯は−１０℃の調整値に対応し３桁表示２１には−１０を表示し、レベル３表示２５ｃの点灯は調整無しとして３桁表示２１には０を表示し、レベル４表示２５ｄの点灯は＋１０℃の調整値に対応し３桁表示２１には１０を表示し、レベル５表示２５ｅの点灯は＋２０℃の調整値に対応し３桁表示２１には２０を表示する。
【００６７】
図３（ｆ）にレベル５表示２５ｅに調整値を変更した直後の表示手段４ｃの表示内容を示し、図３（ｇ）にレベル５表示２５ｅには、設定調整機能４ｅの調整値が＋２０℃に設定されて温度調節機能４ｄは１８０℃に温度制御している場合の表示手段４ｃを示している。
【００６８】
図３（ｆ）に示す様に、設定調整機能４ｅの調整値を設定する場合は、レベル表示２５による調整値の表示だけでなく、３桁表示２１にも具体的な数値を表示し、図３（ｇ）に示す様に、設定調整機能４ｅの調整値が終了した後は、３桁表示２１には温度調節機能４ｄが制御する制御温度を表示している。
【００６９】
この表示の仕様によって、既に備わっている表示手段を用いて、設定調整機能４ｅが設定されている調整値の概略を認識することを可能とし、複数の調理容器を交互に使用しても、適宜、制御温度を調整して温度調節機能４ｄの設定値と油温の差を減じて調理することを可能とする。
【００７０】
（実施の形態４）
図４は本発明の第４の実施の形態における誘導加熱調理器の入力手段のキー配置図であり、入力手段４ｂを示し、実施の形態１から設定調整キー１７と調整レベル確認キー１８
を削除している。以下に、実施の形態４に示した入力手段を用いた設定調整機能４ｅの調整値を設定する操作について説明する。
【００７１】
揚げ物モードに移行して加熱を行う場合には、揚げ物オンオフキー１２をオン操作することで実現する。その後、初期値である制御温度１８０℃をダウンキー１３、及びアップキー１４を操作して変更し、調理メニューに応じた制御温度を選択して、調理容器内部の油の温度を制御する。
【００７２】
しかしながら、油温と制御温度とで温度差が生じた場合には設定調整機能４ｅを動作して、初期設定されている第１の制御温度から第２の温度差へ入力手段４ｂを操作して変更する事が必要ではあるが、一旦設定すると暫く操作しない機能のためにキーを設けると、キーの数が増加して入力手段４ｂが煩雑となり、かつ、各キーの大きさを縮小せざるを得ないという課題が発生する。
【００７３】
前記課題を解決するために、実施の形態１では設定調整機能４ｅの調整値の設定は、設定調整キー１７を操作した後に可能としていたが、本実施の形態４ではダウンキー１３とアップキー１４とを同時に３秒以上の長押しを行う事で可能としている。
【００７４】
つまり、設定調整機能４ｅは温度調節機能４ｄを備えている事が前提なので、温度調節機能４ｄを操作する際に必要なキーを用いて、特定のキーを同時に操作する、或いは長時間操作を継続するといった通常とは異なる特定の操作を行った場合に設定調整機能４ｅによる調整値の設定を可能としている。
【００７５】
（実施の形態５）
使用者が設定調整機能４ｅの調整値を設定するタイミングとして、実施の形態１では揚げ物オンオフキーをオンして揚げ物モードに移行した後、設定調整機能４ｅの動作／非動作、或いは調整値を確認した後で調整可能としているが、揚げ物モードに移行する前であっても設定調整機能４ｅの調整値を変更する必要がある事が明らかな場合、或いは調整値を初期化してゼロとしたい場合、揚げ物モードへ移行する前の段階で設定調整機能４ｅの調整値を可変する、或いは初期化する事を可能とすることで、調理容器を加熱しない安全な設定調整機能４ｅの設定変更を可能としている。
【００７６】
（実施の形態６）
使用者が設定調整機能４ｅの調整値を変更するタイミングとして、実施の形態１では揚げ物オンオフキーをオンして揚げ物モードに移行した後、設定調整機能４ｅの動作／非動作、或いは調整値を確認した後で調整可能としている。
【００７７】
しかし、実際に調理容器内部の油の温度が設定値よりずれている事は、予熱中表示２２が消灯する予熱完了の後になってから、使用者が認識する場合が多い。よって、設定調整機能４ｅの調整値の設定は、予熱中表示２２が消灯した後に可能とすることで、調理容器の汚れや変形といった経時変化に伴う油温の変化も含めた設定調整機能４ｅの調整値を設定することを可能とする。
【００７８】
（実施の形態７）
使用者が調理容器１ａ、調理容器１ｂ、調理容器１ｃを温度調節機能４ｄの設定温度毎に調理メニューを変更して使い別けて使用する場合、設定温度毎に設定調整機能４ｅの調整値を設定する必要がある。
【００７９】
例えば、一般的な鉄材質で構成された調理容器１ａでは１８０℃設定でコロッケなど中心まで火を通す調理を行い、フライパンの様にアルミと発熱体のクラッド材質で構成され
た調理容器１ｂでは高め２００℃設定で表面を香ばしく焼くカツ調理を行い、ステンレス材質で構成された小さい調理容器１ｃでは低めの１６０℃設定でお菓子をお手軽に調理する場合がある。
【００８０】
調理容器毎に異なる温度調節機能４ｄの設定値を使い、更に前記設定値毎に異なる材質の調理容器を用いるため、前記設定値毎に設定調整機能４ｅの調整値を別々に設定する必要がある。
【００８１】
調理容器１ａは設定調整機能４ｅによる調整は不要であるが、調理容器１ｂを使用する２００℃設定では△Ｔ２に相当する約１０℃低めの調整を設定する必要があり、調理容器１ｃを使用する１６０℃設定では△Ｔ１に相当する約２０℃低めの調整を設定する必要がある。
【００８２】
本実施の形態では、温度調節機能４ｄの各温度設定毎に、設定調整機能４ｅの動作／非動作、及び調整値を個別に設定する事を可能として、調理メニュー毎に設定温度と調理容器を使い分ける場合においても、設定温度と油温の差を減らした揚げ物調理を可能とする。
【００８３】
（実施の形態８）
使用者が温度調節機能４ｄの調整値を設定して調理を行っている最中に停電が発生した場合、不揮発性メモリ４ｆを備えて前記調整値を記憶し、停電復帰後に不揮発性メモリ４ｆに調整値のデータが蓄積されていれば、前記データに従い調整値を設定して揚げ物調理を継続する事を可能とする事で、停電復帰後に再び温度調節機能４ｄの調整をしないまま調理してしまい、表面の焦げすぎといった調理の不具合を防止することを可能とする。
【産業上の利用可能性】
【００８４】
以上のように、本発明にかかる誘導加熱調理器は、赤外線センサにより調理容器の温度を検出してトッププレート上に載置した調理容器の温度調節を行う機能を備え、温度調節する設定値と、調理容器や調理物の温度とで温度差が発生する場合には、設定調整機能によって温度差を減らすことができ使い勝手を良くして、調理性能を向上することができるので、赤外線センサを用いたその他の各種の調理器等の用途に有効である。
【符号の説明】
【００８５】
１、１ａ、１ｂ、１ｃ、１ｄ、１ｅ  調理容器  
２  トッププレート
３  加熱コイル
４  制御手段
４ａ  インバータ
４ｂ  入力手段
４ｃ  表示手段
４ｄ  温度調節機能
４ｅ  設定調整機能
６  赤外線センサ
【図１】
0005598165.tif 000002
【図２】
0005598165.tif 000003
【図３】
0005598165.tif 000004
【図４】
0005598165.tif 000005
【図５】
0005598165.tif 000006
【図６】
0005598165.tif 000007